(57)【要約】      （修正有）【課題】袋の口を密封できるゴミ袋の口封鎖装置を提供する。【解決手段】ゴミ袋の口封鎖装置は箱本体１、螺旋軸２、底台３、駆動ユニット４、回転サポートフレーム５、クリップ６、バネ７を有する。箱本体１は螺旋軸２により底台３に連接され、Ｕ字型状の回転サポートフレーム５のＵ字型開口間にセットされる。回転サポートフレーム５底部には槽孔を設置し、これに螺旋軸２を通して設置し、槽孔内には内螺旋を設置する。クリップ６は回転サポートフレーム５の２個のＵ字型端部にそれぞれ設置され、駆動ユニット４は底台３上に設置され、一端にはレバーを設置し、螺旋軸２に嵌めて設置され、反対端にはペダルを設置する。バネ７は螺旋軸２に嵌めて設置し、箱本体１と回転サポートフレーム５との間に位置する。箱本体１に本考案のセルフ粘着式ゴミ袋８０をセットし、クリップ６によりゴミ袋８０を回転サポートフレーム５に挟持する。【選択図】図３
0003196774.tif 000002
【実用新案登録請求の範囲】
【請求項１】
ゴミ袋の口封鎖装置であって、箱本体、螺旋軸、底台、駆動ユニット、回転サポートフレーム、複数のクリップ、バネを有し、
前記箱本体は、前記螺旋軸により、前記底台に連接され、
前記回転サポートフレームは、開口状を呈し、前記螺旋軸上に設置され、前記回転サポートフレームの開口端には、前記箱本体を収容設置し、
前記複数のクリップは、前記回転サポートフレーム開口の両端部にそれぞれ設置され、  前記駆動ユニットは、前記底台上に設置され、一端には、レバーを設置し、前記螺旋軸に嵌めて設置され、反対端には、ペダルを設置し、
前記バネは、前記螺旋軸に嵌めて設置し、前記箱本体と前記回転サポートフレームとの間に位置し、
使用者が前記ペダルを踏んで動かすと、前記レバーは、前記回転サポートフレームの回転を駆動することを特徴とするゴミ袋の口封鎖装置。
【請求項２】
前記ゴミ袋の口封鎖装置は、セルフ粘着式ゴミ袋をさらに有し、
前記セルフ粘着式ゴミ袋は、袋体、環状嵌合部、粘付着部を有し、
前記環状嵌合部は、前記袋体上部に設置し、携帯使用に供し、
前記粘付着部は、前記袋体上部の外周縁、或いは内周縁に環状に設置することを特徴とする請求項１に記載のゴミ袋の口封鎖装置。
【請求項３】
前記箱本体は、円形箱、楕円形箱、方形箱、長方形箱、或いは多角形状箱であることを特徴とする請求項１或いは２に記載のゴミ袋の口封鎖装置。
【考案の詳細な説明】
【技術分野】
【０００１】
本考案は口封鎖装置に関し、特に本考案のセルフ粘着式ゴミ袋をゴミ袋の口封鎖装置に応用し、使用時には口封鎖装置により緊密に回転させて口を封じ、セルフ粘着式ゴミ袋はしっかりとひねられ粘着結合し、袋の口を密封できるゴミ袋の口封鎖装置に関する。
【背景技術】
【０００２】
一般のゴミ袋では、ゴミをいっぱいに入れると、ゴミ袋を結び、或いは口を封じ、蚊やハエが発生したり、異臭を発したりするのを回避し、ゴミ収集車のゴミ収集を待つ。
通常ゴミ袋をまとめる時には、大方は手でゴミ袋の口を縛り、或いは粘着結合させる。
しかし、これでは手が汚れる他、ゴミ処理における不便と、衛生における不安要素となっている。
【０００３】
上記したゴミ袋に関する問題に対応した市販の処理装置は、ゴミ袋の口封鎖機能を備えるゴミ箱構造で、圧縮方式を利用しゴミ袋の口を封じるものである。
しかしながら、それは構造が複雑で、価格が高く、ゴミ袋を破損し易いため、ゴミが散乱し臭気が広がるなどの汚染がより大きくなってしまう。
【０００４】
一方、伝統的なゴミ袋は、口封鎖構造を持たないため、ゴミ袋をまとめる際にゴミ袋の口を封鎖しにくい。
そのため、改良されたゴミ袋が市販されているが、それはゴミ袋の口の結束位置にある紐を利用し縛るものである。
【０００５】
さらに、別種の口封鎖機能を備える従来のゴミ袋は、ゴミ袋が口を封鎖された後に再度開くことができないという欠点を解決するため、ゴミ袋の袋体の開口部に近い位置に、口封鎖紐を設置する。
口封鎖紐の端部には、嵌合部材を設置し、袋体上には、固定部を設置する。
固定部と嵌合部材とを固定することで、ゴミ袋の口封鎖効果を達成する。
【０００６】
しかし、上記した嵌合作用を使用するゴミ袋では、良好な口封鎖作用を達成できず、また価格も比較的高いという欠点が存在する。
【考案の概要】
【考案が解決しようとする課題】
【０００７】
本考案は従来のゴミ袋構造と口封鎖における欠点を改善することができ、便利で衛生的で、粘着結合作用を備えるセルフ粘性を備えるゴミ袋とその口封鎖装置に関する。
【課題を解決するための手段】
【０００８】
本考案によるゴミ袋の口封鎖装置は、箱本体、螺旋軸、底台、駆動ユニット、回転サポートフレーム、複数のクリップ、バネを有する。
該箱本体は、該螺旋軸により、該底台に連接され、Ｕ字型状を呈する回転サポートフレームのＵ字型開口間にセットされ、該回転サポートフレーム底部には、槽孔を設置し、これに該螺旋軸を通して設置し、該槽孔内には内螺旋を設置する。
該クリップは、該回転サポートフレームの２個のＵ字型端部にそれぞれ設置される。
該駆動ユニットは、該底台上に設置され、一端にはレバーを設置し、該螺旋軸に嵌めて設置され、反対端にはペダルを設置する。
該バネは、該螺旋軸に嵌めて設置し、該箱本体と該回転サポートフレームとの間に位置する。
【０００９】
該箱本体にゴミ袋をセットし、該クリップにより該ゴミ袋を該回転サポートフレームに挟持する。
使用者が該ペダルを踏んで動かすと、該レバーは該回転サポートフレームの内螺旋を駆動し、該螺旋軸に沿って回転上昇させ、該ゴミ袋はきつく締められ、粘着封鎖される。
使用者は該ゴミ袋を取り外せば、すぐに縛り、或いは粘着封鎖した後、ゴミ収集車に渡せばそれで良い。
使用者が該駆動ユニットのペダルを放すと、該バネの弾性作用により、該ペダルはもとの位置を回復する。
【００１０】
該ゴミ袋は、本考案のセルフ粘着式ゴミ袋構造を使用することができる。
該ゴミ袋構造は、袋体を備え、該袋体上方には、複数の環状嵌合部を設置し、該袋体上部には、該袋体に沿って、粘付着部を環状に設置する。
使用者が、本考案の口封鎖装置を使用し、該ゴミ袋の口を締める際には、セルフ粘着式ゴミ袋の粘付着部により、袋の口はきつく閉められて一体に粘着結合し、こうしてゴミ袋の口封鎖機能を達成する。
該粘付着部は、該袋体上部の内側、或いは外側に設置する。
【考案の効果】
【００１１】
本考案のゴミ袋の口封鎖装置の構造及びセルフ粘着式ゴミ袋構造により、悪臭の発散を減少させられ、しかも使用者がゴミ袋をまとめる時には簡単、便利、且つ衛生的にゴミ処理を行うことができる。
【図面の簡単な説明】
【００１２】
【図１】本考案の一実施形態によるゴミ袋の口封鎖装置の構造組合せ模式図である。
【図２】本考案の一実施形態によるゴミ袋の口封鎖装置にゴミ袋をセットした時の模式図である。
【図３】本考案の一実施形態によるゴミ袋の口封鎖装置の使用状態模式図である。
【図４】本考案の一実施形態によるゴミ袋の口封鎖装置においてセルフ粘着式ゴミ袋の構造模式図である。
【図５】本考案の一実施形態によるゴミ袋の口封鎖装置においてセルフ粘着式ゴミ袋の口を粘着封鎖する様子の模式図である。
【考案を実施するための形態】
【００１３】
図１は本考案の一実施形態によるゴミ袋の口封鎖装置の構造組合せ模式図である。
図１〜図３に示すとおり、口封鎖装置は、ゴミ袋口封鎖装置を含み、箱本体１、螺旋軸２、底台３、駆動ユニット４、回転サポートフレーム５、クリップ６、バネ７を有する。
【００１４】
箱本体１は、螺旋軸２により、底台３に連接され、Ｕ字型状の回転サポートフレーム５のＵ字型開口間にセットされる。
回転サポートフレーム５底部には、槽孔５１を設置し、これに螺旋軸２を通して設置する。
槽孔５１内には、内螺旋を設置する。
【００１５】
クリップ６は、回転サポートフレーム５の２個のＵ字型端部にそれぞれ設置される。
【００１６】
駆動ユニット４は、底台３上に設置され、一端には、レバー４１を設置し、螺旋軸２に嵌めて設置され、反対端には、ペダル４２を設置する。
【００１７】
バネ７は、螺旋軸２に嵌めて設置し、箱本体１と回転サポートフレーム５との間に位置する。
【００１８】
一実施形態において、箱本体１は、円形箱、楕円形箱、方形箱、長方形箱、或いは多角形状箱である。
【００１９】
図４、５に示すように、本考案に示すゴミ袋の口封鎖装置は、セルフ粘着式ゴミ袋８０構造をさらに有する。
ゴミ袋８０構造は、袋体８１を有する。
袋体８１上方には、複数の環状嵌合部８２を設置する。
袋体８１上部の外周縁、或いは内周縁に沿って、粘付着部８３を環状に設置する。
【００２０】
ゴミ袋８０を箱本体１にセットし、クリップ６により、ゴミ袋８０を回転サポートフレーム５に挟持し、使用者がペダル４２を踏んで動かすと、レバー４１は、回転サポートフレーム５の内螺旋を駆動し、螺旋軸に沿って回転上昇させる。
これにより、ゴミ袋８０は緊密に締められ、セルフ粘着式ゴミ袋８０構造上の粘付着部８３により、袋の口はきつく閉められて一体に粘着結合する。
こうして、ゴミ袋８０の口封鎖機能を達成する。
【００２１】
使用者が駆動ユニット４のペダル４２を放すと、バネ７の弾性作用により、ペダル４２はもとの位置を回復する。
【００２２】
セルフ粘着式ゴミ袋８０の粘付着部８３は、ゴミ袋８０袋体８１上部内側、或いは外側に設置する。
セルフ粘着式ゴミ袋８０は、クリップにより、ゴミ袋８０を回転サポートフレーム５に挟持する。
使用者がペダル４２を踏むと、レバー４１は、回転サポートフレーム５の内螺旋を駆動し、螺旋軸に沿って回転して上昇し、ゴミ袋８０をしっかりと締め、粘着封鎖する。
【００２３】
前述した本考案の実施形態は本考案を限定するものではなく、よって、本考案により保護される範囲は後述される実用新案登録請求の範囲を基準とする。
【符号の説明】
【００２４】
１  箱本体
２  螺旋軸
３  底台
４  駆動ユニット
４１  レバー
４２  ペダル
５  回転サポートフレーム
５１  槽孔
６  クリップ
７  バネ
８０  ゴミ袋
８１  袋体
８２  環状嵌合部
８３  粘付着部
【図１】
0003196774.tif 000003
【図２】
0003196774.tif 000004
【図３】
0003196774.tif 000005
【図４】
0003196774.tif 000006
【図５】
0003196774.tif 000007